【事件の表示】
　特許第２７６７１７３号「音響効果装置」の請求項に係る特許に対する特許異議の申立てについて、次のとおり決定する。
【結　論】
　訂正を認める。
　特許第２７６７１７３号の請求項１に係る特許を維持する。
【理　由】
１．手続の経緯
　本件特許第２７６７１７３号発明は、平成４年９月３０日に出願されたものであって、平成１０年４月１０日にその特許の設定登録がなされ、その後、和田悦子より特許異議の申立がなされ、取消理由通知がなされ、その指定期間内である平成１１年７月２７日に訂正請求がなされた後、訂正拒絶理由が通知され、訂正請求に対する手続補正書が提出されたものである。
２．訂正請求について
（１）補正について
　平成１１年１０月２９日付けの手続補正による補正は、前記訂正請求によって訂正された特許請求の範囲及び発明の詳細な説明の記載を更に補正しようとするものであって、前記訂正請求の訂正事項の変更又は、追加に該当するものであり、訂正請求書の要旨を変更するものであるので、この補正は採用できない。
（２）訂正について
ア．訂正の内容
（ア）特許請求の範囲を、以下の通り訂正する。
「１．電子楽器とは別個の外部機器として構成され、当該電子楽器の演奏に合わせて演奏されるアナログまたはディジタルの楽音を遅延手段により所定の遅延時間遅延させて当該楽音を反復することにより、当該楽音の演奏に音響効果を付加する音響効果装置において、
　前記電子楽器を制御するためのMIDI信号を受信するMIDI信号受信手段と、
　音符を選択するための音符選択手段と、
　前記MIDI信号受信手段が受信したMIDI信号のタイミングクロックの時間間隔を常時測定してテンポ値を算出するテンポ値算出手段と、
　前記テンポ値算出手段により算出されたテンポ値、および前記音符選択手段により選択された音符の長さに応じて、前記所定の遅延時間を設定する遅延時間設定手段と、
　前記テンポ値算出手段により算出されたテンポ値を表示するテンポ値表示手段と、
を有していることを特徴とする音響効果装置。」
（イ）段落番号【０００７】の記載を、以下の通り訂正する。
「【課題を解決するための手段】
　上記目的を達成するため、本発明の請求項１に係る音響効果装置は、電子楽器とは別個の外部機器として構成され、当該電子楽器の演奏に合わせて演奏されるアナログまたはディジタルの楽音を遅延手段により所定の遅延時間遅延させて当該楽音を反復することにより、楽音の演奏に音響効果を付加する音響効果装置において、電子楽器を制御するためのMIDI信号を受信するMIDI信号受信手段と、音符を選択するための音符選択手段と、MIDI信号受信手段が受信したMIDI信号のタイミングクロックの時間間隔を常時測定してテンポ値を算出するテンポ値算出手段と、テンポ値算出手段により算出されたテンポ値、および音符選択手段により選択された音符の長さに応じて、前記所定の遅延時間を設定する遅延時間設定手段と、テンポ値算出手段により算出されたテンポ値を表示するテンポ値表示手段と、を有していることを特徴とする。」
（ウ）段落番号【００１０】の記載を、以下の通り訂正する。
「【作用】
　上述した音響効果装置によれば、MIDI信号受信手段が、電子楽器を制御するMIDI信号を受信し、テンポ値算出手段は、受信したMIDI信号のタイミングクロックの時間間隔を常時測定することにより、テンポ値を算出する。これにより、電子楽器の演奏テンポを随時、正しく求めることができる。　算出されたテンポ値は、テンポ値表示手段に表示される。これにより、音響効果装置の使用者は、電子楽器の演奏テンポを随時、正しく知ることができる。また、遅延時間設定手段が、テンポ値算出手段により算出されたテンポ値、および音符選択手段により選択された音符の長さに応じて、楽音の遅延時間を設定する。したがって、電子楽器の演奏に合わせて演奏される楽音の遅延時間が、電子楽器の演奏テンポと自動的に適合するとともに、好みにより選択した音符の長さにも適合するので、優れた反復効果を楽音に容易に付加することができる。」
（エ）段落番号【００４１】の記載を、以下の通り訂正する。
「【発明の効果】
　以上のように本発明によれば、MIDI信号受信手段が、電子楽器を制御すするMIDI信号を受信し、テンポ値算出手段は、受信したMIDI信号のタイミノグクロックの時間間隔を常時測定することにより、テンポ値を算出するので、電子楽器の演奏テンポを随時、正しく求めることができる。また、算出されたテンポ値をテンポ値表示手段で表示するので、音響効果堂置の使用者は、電子楽器の演奏テンポを随時、正しく知ることができる。さらに、遅延時間設定手段がテンポ値算出手段により算出されたテンポ値、および音符選択手段により選択された音符の長さに応じて、楽音の遅延時間を設定する。したがって、電子楽器の演奏に合わせて演奏される楽音の遅延時間が、電子楽器の演奏テンポと自動的に適合するとともに、好みにより選択した音符の長さにも適合するので、優れ反復効果を楽音に容易に付加することができる。」
（オ）段落番号【００１３】、【００１４】および【００１６】ならびに【符号の説明】の各「拍子」を、「音符」に訂正するとともに、段落番号【００３９】の「拍子」を「音符の長さ」に訂正する。
イ．訂正の目的の適否、新規事項の有無及び拡張・変更の有無
　訂正事項（ア）は、明瞭でない記載の釈明を目的とするとともに、特許請求の範囲の減縮を目的とするものであり、又、訂正事項（イ）〜（オ）は、訂正事項（ア）の特許請求の範囲の訂正に対応しようとするなどの明瞭でない記載の釈明を目的とするものであり、しかも、いずれも、出願当初の明細書又は図面に記載された事項の範囲内のものであり、又、実質的に特許請求の範囲を拡張又は変更するものではない。
ウ．独立特許要件について
（ア）訂正明細書の請求項に係る発明
　訂正明細書の請求項に係る発明は、その請求項に記載された前記（２．（２）ア（ア））のとおりのものである。
（イ）刊行物の記載
［訂正拒絶理由で引用した刊行物］
　当審が前記訂正拒絶理由で引用した刊行物には、それぞれ以下の記載がある。
ａ．特開平4-234791号公報（異議申立人が提出した甲第４号証と同じ、以下、刊行物１という）には、残響や連打等の経時的な音響効果を楽音に付与することができる電子楽器に関する発明について、
・「【請求項１】テンポ情報を生成するテンポ情報生成手段と、前記テンポ情報生成手段が生成したテンポ情報を含む情報に基づいて、音響効果　に関するパラメータを生成するパラメータ生成手段と、前記パラメータ生成手段が生成したパラメータに基づき、楽音信号に対して経時的な音響効果を付与することを特徴とする電子楽器。」（特許請求の範囲）
・「【０００５】この発明は・・・曲のテンポに合わせて残響等の経時的な音響効果の長さを変えることができる電子楽器を提供することを目的とする。」
・「【０００８】即ち、残響音は入力されたインパルスに対して一定時間の減衰音が出力される音響効果であり、連打音は入力されたインパルスに対して所定の間隔の複数個の減衰にパルスが出力される音響効果である。このような音響効果は実際に演奏されている曲のテンポと密接な関係があり、最適の長さ、間隔で出力されることがその演奏においても望ましい。したがって、テンポ情報に応じたパラメータによってこの効果を制御することにより、最適な音響効果を維持することができる。
【０００９】なお、前記パラメータをその効果を付与する音符の符長やそのときのリズムの種類に基づいて決定すれば、よりその曲に適合した効果を付与することが可能になる。」
・「【００１１】この電子楽器は、制御部４が全体の動作を制御し、前記鍵盤１、設定操作子２、テンポクロック発生部３は制御部４に接続されている。制御部４はテンポクロック発生部３に対してテンポ指示データTEMPOを入力する。テンポクロック発生部３は入力されたTEMPOに基づいてテンポクロックを発生しテンポクロックTMPCLKを制御部４に出力する。制御部４にはこのほか、自動演奏／伴奏データメモリ５、楽音発生部６および効果付与部７が接続されている。
　　　　　　　　・・・途中略・・・
  ・・・  楽音発生部６はこれらのデータに基づいて楽音信号を形成する。制御部４は効果付与部７に対しては効果パラメータを出力する。効果パラメータは設定操作子２から入力された値に基づいて演算されたものである。また、楽音発生部６が形成した楽音信号も効果付与部７に入力される。」 
・「【００１３】イフェクト部の構成を図３および図４に示す。図３は一般的なディレイ回路で構成されたイフェクト分の構成を示している。
　　　　　　　　・・・途中略・・・
【００１４】ディレイ回路36の出力はアンプ37を介して　・・・
　　　　　　　・・・途中略・・・
  ・・・  k＝０の場合には入力されたインパルス信号に対してディレイ回路36の遅延時間遅れたインパルス信号が１回出力されるのみである（図５参照）。
また、kが０より大きく１より小さい場合には入力されたインパルス信号に対して複数回の遅延されたインパルス出力が継続する。ディレイ回路36のディレイタイムを適当に設定することにより図６に示すような減衰する連打音信号を形成することが可能になる。また、ディレイタイムを極めて短く設定すれば連続して鳴動する残響音のような効果を付与することも可能になる。」
・「【００２０】テンポ設定処理の詳細を図11に示す。まず、n15でテンポデータの入力イベントがあったか否かを判断する。・・・ある場合には入力されたデータをテンポレジスタTMPREGに入力する（n16）。
【００２１】テンポレジスタTMPREGの値からテンポクロックの周期データTEMPOを求め、このデータをテンポクロック発生部３に出力する（n17）。
【００２２】また、前記効果設定動作の詳細を図12に示す。　・・・
　付与される効果の種類としては残響音、連打音、トレモロ等がある。
　　　　　　　・・・途中略・・・
　TSDモードとは、テンポクロックの値に基づいて経時的な効果（残響、連打音）の長さを可変するモードである。・・・
　　　　　　　　・・・途中略・・・
　TSDモードの場合には、そのときのテンポクロック周期データTEMPOの値に基づいてディレイタイムを設定し（n22）、その他のパラメータ設定処理を実行する（n23）。・・・
【００２３】図13はディレイタイム設定処理動作を示すフローチャートである。この動作は、ディレイタイムを音符の長さで受け付け、この時間内で反復可能な回数を算出する動作である。反復はリズムや拍に無関係に行うのではなく、拍を分割可能な時間間隔まで２分割または３分割する。２拍子系のリズムの場合には２分割し、３拍子系のリズムの場合には３分割する。まずそのディレイタイムの長さを音符の長さで入力する（n29）。
  入力することが可能な音符は４分音符〜32分音符である。入力された音符がどの音符であるかを判断する（n30）。指定されたディレイ符長と現在設定されているテンポ値TMPREGとを参照し、分割不可能な時間になるまで２分割（n31〜n35）または３分割（n36、n37）している。分割ののち分割数をNに設定する（n41〜n46）。・・・」
・「【００２４】ディレイ符長として４分音符が入力されたとき、その曲のテンポに基づいて（n41〜n46でセットされたNの値に基づいて）どのような連打音が発音されるかを図14（A）〜（F）に示しておく。・・・」
・「【００２７】
【発明の効果】以上のようにこの発明の電子楽器では、テンポに基づいて音響効果が調整されるため、どのようなテンポで演奏した場合でもそのテンポを崩さずに、最適な音響効果を得ることができる。これによって演奏者のパラメータ設定操作が容易になるとともに、演奏中にテンポが揺れ動いても常に最適な演奏効果を得ることができる。」
　以上の記載を総合し、各図面を参照して整理すると、結局、刊行物１には、以下のとおりの発明が記載されているものと認める。
「楽音発生部が形成した楽音信号をディレイ回路で構成されたイフェクト部に入力して、複数回の遅延された連打音又は残響音のような、楽音信号に対して経時的な音響効果を付与する効果付与部を有する電子楽器であって、
　入力されたテンポデータからテンポクロックの周期データを求め、入力テンポデータに対応するテンポクロックの周期を設定するとともに、ディレイ回路の遅延時間を音符の種類で指定されるディレイ符長と現在設定されているテンポクロックの周期データに基づいて設定するようにした電子楽器。」
ｂ．特開昭61-59497号公報（異議申立人が提出した甲第５号証と同じ、以下、刊行物２という）には、最近の電子楽器が、コンポーネント化が進み、キーボード（音源を含まない）、シーケンサ（自動演奏装置）のような複数機器を適当に接続して始めて機能するものが増加しつつあることに鑑みてなされた電子楽器を構成する複数の機器間、または電子楽器間のデータ通信装置に関する発明について記載されており、データフォーマットはメーカー間でMIDIとして規格化されていること、機器間で転送されるデータの中には、演奏鍵の押鍵・離鍵情報、テンポクロック情報等が含まれ、MIDIデータには、タイミングクロックデータ、テンポクロックデータが含まれている旨が記載されている。
［取消理由通知で引用した刊行物］
　取消理由通知で引用した刊行物は、前記刊行物１及び刊行物２であり、それぞれの記載は、前記したとおりである。
［異議申立人が提示した刊行物］
　異議申立人は、前記甲第４号証刊行物（刊行物１）及び甲第５号証刊行物（刊行物２）の他、甲第３号証として実願昭５７−６９５９号(実開昭５８−１０９７９２号公報)の願書に最初に添付した明細書および図面の内容を撮影したマイクロフィルム(昭和５８年７月２６日特許庁発行)（以下、刊行物４という）及び、参考文献として”The　Music　Note　音楽単語解説集”（1982年６月１０日株式会社リットーミュージック発行）（以下、刊行物５という）を提示している。
　［刊行物４］
　刊行物４には、入力された音声信号を遅延する遅延回路の遅延時間を遅延時間設定手段により設定される遅延時間データ信号と、入力端子に入力される自動リズム演奏装置のテンポクロック信号の周期を検出して変換する周期検出手段からの遅延時間データのいずれか一方を選択し得るようにして、遅延回路の遅延時間と自動リズム演奏装置のテンポとが同期するようにした音声信号遅延装置に関する発明が記載されている。
　［刊行物５］
　刊行物５には、「拍子」の意味などについての解説が記載されている。
（ウ）対比・判断
  訂正後の発明と刊行物１記載のものとを対比する。
  両発明は、いずれも、電子楽器の演奏により発生する楽音を遅延手段により遅延させ、反復して発音することにより、楽音に音響効果を付加する点で共通するものである。
  そして、刊行物１記載の発明において、入力されたテンポデータは、テンポレジスタTMPREGに入力されるとされ、図１３の具体例（１８４、９２、６２，・・・）からみて、１分間の四分音符又は八分音符等の数で入力されるとみられ、テンポクロックの周期はその逆数演算によって求めれるものであり、一応、テンポクロックの周期を算出する手段を有しているものといえる。
　しかしながら、刊行物１記載の発明では、テンポは、もともと、同じ装置内で、テンポ設定のために入力されたテンポデータによって設定されるものであり、訂正後の発明が有する、別個の電子楽器から受信したMIDI信号のタイミングクロックの時間間隔を常時測定することによりテンポ値を算出するテンポ値算出手段とは異なるものである。
　又、前記刊行物２〜５の記載のいずれにも、上記テンポ値算出手段を示唆する記載はない。
　そして、訂正後の発明は、この手段を有することにより、明細書記載の所期の効果を奏するものである。
　結局、訂正後の発明は、前記各刊行物に記載された各発明に基づいて当業者が容易に発明をすることができたものとすることはできない。
　したがって、訂正明細書の請求項に係る発明は、出願の際、独立して特許を受けることができるものである。
エ．訂正についてのむすび
　以上のとおりであるから、上記訂正は、特許法第１２０条の４第２項の規定及び同条第４項において準用する特許法第１２６条第２〜４項の規定の規定に適合するので、この訂正を認める。
３.特許異議の申立についての判断
（１）申立の理由の概要
　異議申立人は、本件発明についての特許に対して、証拠として甲第１、２号証（取消事由１のためのもの）、甲第３、４、５号証（この順で、前記刊行物４、刊行物１、刊行物２に対応し、いずれも取消事由２のためのもの）及び参考文献（前記刊行物５）を提出し、本件発明は、各刊行物記載の発明に基づいて当業者が容易に発明をすることができたものであるとし、本件発明についての特許は、特許法第２９条第２項の規定に違反してなされたものであるから、取り消すべきである旨主張している。
（２）判断
［取消事由１について］
　本取消事由は、本件発明の構成中、「拍子選択手段」及び「拍子選択手段により選択された拍子に応じて、所定の遅延時間を設定する遅延時間設定手段」は、出願当初の明細書等に記載された事項ではなく、自明ともいえないので、本件特許出願は、両手段に対して補正がなされた手続補正書の提出日、即ち、平成９年２月７日に出願したものとみなされるとして、平成６年４月２８日に頒布された特開平６−１１８９５０号公報を甲第１号証とし、平成６年７月２２日に頒布された特開平６−２０２６３８号公報を甲第２号証とするものである。
　しかしながら、訂正後の発明は、上記両手段について、それぞれ、「音符を選択するための音符選択手段」及び「前記テンポ値算出手段により算出されたテンポ値、および前記音符選択手段により選択された音符の長さに応じて、前記所定の遅延時間を設定する遅延時間設定手段」を構成とするものである。
　いずれの手段も、本件特許出願当初の明細書等に記載された事項の範囲内のものである。
　したがって、本件特許出願は、先に認定したとおりの出願日になされたものである。
　これに対して、甲第１、２号証は、いずれも本件特許出願より後に頒布されたものであり、特許法第２９条第１、２項の規定でいう刊行物の証拠として採用できない。
［取消事由２について］
　本件発明は、訂正明細書の請求項に記載されたとおりのものである。
　訂正後の発明が、刊行物１〜５に記載された発明によっては、容易に発明できないものであることは前記したとおりである。
４．むすび
　以上のとおりであるから、異議申立人の理由及び証拠によっては、本件特許を取り消すことはできない。
　又、他に本件特許を取り消すべき理由を発見しない。
  よって、結論のとおり決定する。　　
【異議決定日】
平成１３年１月１７日（２００１．１．１７）
【訂正の要旨】
訂正の要旨
１．特許請求の範囲の減縮および明りょうでない記載の釈明を目的として、特許請求の範囲を、以下の通り訂正する。
「１．電子楽器とは別個の外部機器として構成され、当該電子楽器の演奏に合わせて演奏されるアナログまたはディジタルの楽音を遅延手段により所定の遅延時間遅延させて当該楽音を反復することにより、当該楽音の演奏に音響効果を付加する音響効果装置において、
　前記電子楽器を制御するためのＭＩＤＩ信号を受信するＭＩＤＩ信号受信手段と、
　音符を選択するための音符選択手段と、
　前記ＭＩＤＩ信号受信手段が受信したＭＩＤＩ信号のタイミングクロックの時間間隔を常時測定してテンポ値を算出するテンポ値算出手段と、
　前記テンポ値算出手段により算出されたテンポ値、および前記音符選択手段により選択された音符の長さに応じて、前記所定の遅延時間を設定する遅延時間設定手段と、
　前記テンポ値算出手段により算出されたテンポ値を表示するテンポ値表示手段と、
　を有していることを特徴とする音響効果装置。」
２．明りょうでない記載の釈明を目的として、段落番号【０００７】の記載を、以下の通り訂正する。
「【課題を解決するための手段】
　上記目的を達成するため、本発明の請求項１に係る音響効果装置は、電子楽器とは別個の外部機器として構成され、当該電子楽器の演奏に合わせて演奏されるアナログまたはディジタルの楽音を遅延手段により所定の遅延時間遅延させて当該楽音を反復することにより、楽音の演奏に音響効果を付加する音響効果装置において、電子楽器を制御するためのＭＩＤＩ信号を受信するＭＩＤＩ信号受信手段と、音符を選択するための音符選択手段と、ＭＩＤＩ信号受信手段が受信したＭＩＤＩ信号のタイミングクロックの時間間隔を常時測定してテンポ値を算出するテンポ値算出手段と、テンポ値算出手段により算出されたテンポ値、および音符選択手段により選択された音符の長さに応じて、前記所定の遅延時間を設定する遅延時間設定手段と、テンポ値算出手段により算出されたテンポ値を表示するテンポ値表示手段と、を有していることを特徴とする。」
３．明りょうでない記載の釈明を目的として、段落番号【００１０】の記載を、以下の通り訂正する。
「【作用】
　上述した音響効果装置によれば、ＭＩＤＩ信号受信手段が、電子楽器を制御するＭＩＤＩ信号を受信し、テンポ値算出手段は、受信したＭＩＤＩ信号のタイミングクロックの時間間隔を常時測定することにより、テンポ値を算出する。
　これにより、電子楽器の演奏テンポを随時、正しく求めることができる。
　算出されたテンポ値は、テンポ値表示手段に表示される。これにより、音響効果装置の使用者は、電子楽器の演奏テンポを随時、正しく知ることができる。また、遅延時間設定手段が、テンポ値算出手段により算出されたテンポ値、および音符選択手段により選択された音符の長さに応じて、楽音の遅延時間を設定する。したがって、電子楽器の演奏に合わせて演奏される楽音の遅延時間が、電子楽器の演奏テンポと自動的に適合するとともに、好みにより選択した音符の長さにも適合するので、優れた反復効果を楽音に容易に付加することができる。」
４．明りょうでない記載の釈明を目的として、段落番号【００４１】の記載を、以下の通り訂正する。
「【発明の効果】
　以上のように本発明によれば、ＭＩＤＩ信号受信手段が、電子楽器を制御すするＭＩＤＩ信号を受信し、テンポ値算出手段は、受信したＭＩＤＩ信号のタイミノグクロックの時間間隔を常時測定することにより、テンポ値を算出するので、電子楽器の演奏テンポを随時、正しく求めることができる。また、算出されたテンポ値をテンポ値表示手段で表示するので、音響効果装置の使用者は、電子楽器の演奏テンポを随時、正しく知ることができる。さらに、遅延時間設定手段がテンポ値算出手段により算出されたテンポ値、および音符選択手段により選択された音符の長さに応じて、楽音の遅延時間を設定する。したがって、電子楽器の演奏に合わせて演奏される楽音の遅延時間が、電子楽器の演奏テンポと自動的に適合するとともに、好みにより選択した音符の長さにも適合するので、優れ反復効果を楽音に容易に付加することができる。」
５．明りょうでない記載の釈明を目的として、段落番号【００１３】、【００１４】および【００１６】ならびに【符号の説明】の各「拍子」を、「音符」に訂正するとともに、段落番号【００３９】の「拍子」を「音符の長さ」に訂正する。
（５４）【発明の名称】
音響効果装置
（５７）【特許請求の範囲】
　【請求項１】　
電子楽器とは別個の外部機器として構成され、当該電子楽器の演奏に合わせて演奏される
　
前記
　
音符
音符
　前記ＭＩＤＩ信号受信手段が受信したＭＩＤＩ信号のタイミングクロックの時間間隔
を常時測定してテンポ値を算出するテンポ値算出手段と、
　
前記テンポ値算出手段により算出されたテンポ値
音符
音符の長さ
　
前記テンポ値算出手段により算出されたテンポ値を表示するテンポ値表示手段と、
　を有していることを特徴とする音響効果装置。
【発明の詳細な説明】
　　　【０００１】
　　【産業上の利用分野】
　本発明は、電子楽器等における音響効果装置に関し、詳しくは、ＭＩＤＩ信号のタイミングクロックの時間間隔から遅延時間を演算して、音声等の楽音をその遅延時間遅延させて楽音の演奏に反復効果を付加するようにした音響効果装置に関する。
　　　【０００２】
　　【従来の技術】
　音楽演奏や合唱等において、演奏の特定部分の強調付けや印象付けを行いたい場合に遅延装置により楽器音や音声等の楽音を遅延させて、演奏や歌唱に反復効果を付加することが、優れた演奏手法として知られている。このため、電子楽器に関連する技術進歩の著しい今日では、遅延装置を備えた音響効果装置により演奏に反復効果を付加することが一般的に行われている。
　　　【０００３】
　このような音響効果装置によって演奏または歌唱（以下単に「演奏」という）に反復効果を付加する場合、従来は次のような方法を用いていた。すなわち、音響効果装置使用者は、演奏のテンポから遅延時間を、その都度算出したり、予め用意した変換表を使用して求めたりして、この求めた遅延時間を遅延装置に設定するという操作を行っていた。
　　　【０００４】
　　【発明が解決しようとする課題】
　しかし、このような従来の方法には以下のような問題点があった。第１として、本来、曲の演奏に反復効果を付加する際には、伴奏される電子楽器の演奏のテンポと楽音を遅延させる遅延時間が完全に同期する必要がある。さもないと楽音の反復音が伴奏にフイットしないため、逆に反復音が演奏を阻害してしまうからである。しかし、従来の方法では、音響効果装置使用者が楽音を遅延させる音響効果装置の遅延時間を電子楽器とは別個に設定していたため、電子楽器の伴奏のテンポと楽音を遅延させる遅延時間との同期を完全に行うことができなかった。その上、演奏中にテンポが変わる場合は、演奏の進行を阻害することになるため、遅延時間の設定変更自体が不可能になる。
　　　【０００５】
　第２としては、そのような計算や変換表の使用は、煩雑であるだけでなく、本来感性的である音楽演奏にそぐわない行為として好まれなかった。
　　　【０００６】
　本発明は、このような問題点を解決するためになされたものであり、電子楽器の演奏テンポおよび選択した拍子に対応した遅延時間で楽音を自動的に遅延させることにより、優れた音響効果を演奏に容易に付加することができる音響効果装置を提供することを目的とする。
　　　【０００７】
　　【課題を解決するための手段】
　上記目的を達成するため、本発明の請求項１に係る音響効果装置は、
電子楽器とは別個の外部機器として構成され、当該電子機器の演奏に合わせて演奏される
音符
音符
を常時測定してテンポ値を算出するテンポ値算出手段と、テンポ値算出手段により算出されたテンポ値
音符
音符の長さ
テンポ値算出手段により算出されたテンポ値を表示するテンポ値表示手段と、
　　　【０００８】
　　　【０００９】
　　　【００１０】
　　【作用】
　上述した音響効果装置によれば、
ＭＩＤＩ信号受信手段が、電子楽器を制御するＭＩＤＩ信号を受信し、テンポ値算出手段は、受信したＭＩＤＩ信号のタイミングクロックの時間間隔を常時測定することにより、テンポ値を算出する。これにより、電子楽器の演奏テンポを随時、正しく求めることができる。算出されたテンポ値は、テンポ値表示手段に表示される。これにより、音響効果装置の使用者は、電子楽器の演奏を随時、正しく知ることができる。また、遅延時間設定手段が、テンポ値算出手段により算出されたテンポ値、および音符選択手段により選択された音符の長さに応じて、楽音の遅延時間を設定する。したがって、電子機器の演奏に合わせて演奏される楽音の遅延時間が、電子楽器の演奏テンポと自動的に適合するとともに、好みにより選択した音符の長さにも適合するので、優れた反復効果を楽音に容易に付加することができる。
　　　【００１１】
　　　【００１２】
　　　【００１３】
　　【実施例】
　以下、本発明に係る好適な実施例を挙げ、図面に基づき詳細に説明する。まず、本発明に係る音響効果装置の構成について、図１、２を用いて説明する。最初に、図１（ａ）、（ｂ）を用いて音響効果装置１の外観を説明する。図１（ａ）に示す音響効果装置１の前面部には、表示部２、測定スイッチ３、決定スイッチ４、音符切替スイッチ５及び電源スイッチ６が配置され、図２（ｂ）に示す音響効果装置１の背面部には、ＭＩＤＩ信号コネクター７、楽音出力コネクター８及び楽音入力コネクター９が配置されている。
　　　【００１４】
　表示部２は、液晶で作られており、アナログの音声や電子楽器の楽器音等の楽音を遅延させる遅延時間と、ＭＩＤＩ信号のタイミングクロックから演算した、電子楽器の演奏のテンポと、変更遅延時間を指定するための
音符
　　　【００１５】
　測定スイッチ３、決定スイッチ４は、共に押しボタンスイッチであり、各スイッチを押すと、ＭＩＤＩ信号のタイミングクロックから遅延時間を演算する遅延時間算出ルーチン、楽音を遅延時間遅延させるメインルーチンがそれぞれ開始される。これらの各ルーチンについては後述する。
　　　【００１６】
　
音符
　　　【００１７】
　ＭＩＤＩ信号コネクター７は、シーケンサーやコンピューターを使用したＭＩＤＩ規格の電子楽器をタイミングクロックにより同期制御をするためのＭＩＤＩ信号を受信するコネクターであって、このＭＩＤＩ信号コネクター７を使用して、タイミングクロックの信号を図示しない電子楽器から入力する。
　　　【００１８】
　楽音出力コネクター８、楽音入力コネクター９は、楽音の入力及び出力に使用するものであり、楽音出力コネクター８はオーディオアンプに、楽音入力コネクター９はマイクロホン、電子楽器等に、それぞれ接続される。
　　　【００１９】
　次に、音響効果装置１の構成を図２を用いて説明する。同図によれば、音響効果装置１は、ＣＰＵ１１、Ａ／Ｄ変換部１２、Ｄ／Ａ変換部１３、スイッチインターフェース部１４、ディスプレイインターフェース部１５、プログラムＲＯＭ１６、ＲＡＭ１７、ＭＩＤＩ信号インターフェース部１８及びディレイ用ＲＡＭ１９を備えている。
　　　【００２０】
　具体的には、ＣＰＵ１１は、マイクロコンピューターであり、音響効果装置１における遅延手段及び遅延時間設定手段としての動作、ＭＩＤＩ信号受信手段としてのＭＩＤＩ信号データの受信を初めとする種々の動作の制御を行う。Ａ／Ｄ変換部１２は、楽音のアナログ信号をディジタル信号に変換する。Ｄ／Ａ変換部１３は、ディジタル信号を楽音のアナログ信号に変換する。スイッチインターフェース部１４は、スイッチ３、４、５のＯＮ／ＯＦＦ信号をＣＰＵ１１に出力する。ディスプレイインターフェース部１５は、遅延時間等のデータをＣＰＵ１１から入力して、表示部２に表示するために表示用データに変換する。
　　　【００２１】
　プログラムＲＯＭ１６は、ＣＰＵ１１を動作させるプログラムを格納する。ＲＡＭ１７は、ＣＰＵ１１の演算結果としての遅延時間やテンポの値等を一時的に格納する。ＭＩＤＩ信号インターフェース部１８は、ＣＰＵ１１と共にＭＩＤＩ信号受信手段を構成し、ＭＩＤＩ信号コネクター７を介して図示しない電子楽器から入力されるＭＩＤＩ信号のタイミングクロックを、シリアル信号からＣＰＵ１１が受信可能な信号に変換する。ディレイ用ＲＡＭ１９は、ＣＰＵ１１と共に遅延手段を構成し、ディジタル信号を一定時間格納する。このディレイ用ＲＡＭ１９は、特に限定されないが、アドレスが００００〜ＦＦＦＦの記憶領域を有しており、各アドレスには３バイトのディジタル信号のデータを格納することができる。
　　　【００２２】
　以上の音響効果装置１の使用方法を簡単に説明する。演奏に反復効果を付加する際の遅延させる対象となる楽音は特に限定されるものではないが、例えば、音声による歌唱に反復効果を付加したい場合には、楽音入力コネクター９にマイクロホンを接続して、音響効果装置１に音声を入力する。そして、楽音出力コネクター８をオーディオアンプに接続し、オーディオアンプの出力部をスピーカに接続する。また、ＭＩＤＩ信号コネクター７を図示しない電子楽器に接続する。
　　　【００２３】
　次に、電子楽器からＭＩＤＩ信号を受信し、測定スイッチ３を押すと遅延時間の測定を開始する。測定中は、表示部２の遅延時間、テンポの表示が共に点滅する。遅延時間等の値が一定になったときに決定スイッチ４を押すと、遅延時間、テンポの表示が点滅状態から点灯状態に切り替わる。同時に、楽音入力コネクター９から入力された音声が表示部２に表示された遅延時間遅延されて、楽音出力コネクター８から出力される。
　　　【００２４】
　なお、通常この遅延時間の表示は、四分音符に対応した遅延時間を表示しており、演奏状況に応じて、二分音符、八分音符、十六分音符等に相当する遅延時間で遅延させたい場合には、後述するように、スイッチ５を使用して遅延時間の変更をすることができる。
　　　【００２５】
　以上により、音響効果装置１に入力した楽音は、表示部２で表示されている遅延時間経過後に、楽音出力コネクター８から図示しないオーディオアンプに出力される。したがって、マイクロホンから出力される音声と音響効果装置１から出力される音声をオーディオアンプでミキシングすると、スピーカから遅延されない音声と遅延された音声が出力されるので、歌唱に反復効果を付加することができる。
　　　【００２６】
　なお、電子楽器の演奏するテンポが途中で変わる場合は、ＭＩＤＩ信号のタイミングクロックの時間間隔も同時に変わる。したがって、音響効果装置１は、このタイミングクロックの時間間隔を常時測定し、このタイミングクロックの時間間隔に対応して、表示部２の遅延時間、テンポの表示、楽音を遅延させる遅延時間が変化することになる。
　　　【００２７】
　次に、音響効果装置１の動作を図３、４のフローチャートを用いて詳細に説明する。電源スイッチ６を投入すると、音響効果装置１に所定の電源が供給され（ステップ３１）、ＣＰＵ１１は、プログラムＲＯＭ１６に格納されたプログラムに従い、所定のシステムリセット（ステップ３２）を行った後に、楽音を遅延させるためのプログラムであるメインルーチンを開始する（ステップ３３）。
　　　【００２８】
　このメインルーチンは、以下のように実行される。ＣＰＵ１１は、決定スイッチ４が押されたか、スイッチインターフェース部１４から出力される決定スイッチ４のＯＮ信号を常時監視する（ステップ３４）。決定スイッチ４が押された場合は、後述する遅延時間算出ルーチンで算出された遅延時間のデータをＲＡＭ１７に格納した後に、楽音を遅延させる遅延時間に対応したディレイ用ＲＡＭ１９の読出しアドレスを決定する（ステップ３５）。この読出しアドレスについては後述する。
　　　【００２９】
　次に、楽音をＡ／Ｄ変換部１２でディジタル信号に変換した後に、ディジタル信号のデータ（以下「データ」という）を、システムバス２０を介してディレイ用ＲＡＭ１９に書き込む（ステップ３６）。このディレイ用ＲＡＭ１９への書込みは、以下のようにして行われる。まず、最初に書込みアドレス００００にデータを書き込む。次に、このメインルーチンが１回実行されると、アドレス００００に書き込まれたデータを、次のアドレス０００１に１つ移動させる。そして、次のデータをアドレス００００に格納する。このような動作をメインルーチンの実行毎に繰り返して行うことによって、最初に書き込んだデータを、メインルーチンの実行に伴いアドレス００００からアドレスＦＦＦＦに向かって順次移動させるとともに、全てのデータをディレイ用ＲＡＭ１９の連続した所定のアドレス領域に書き込む（ステップ３６）。
　　　【００３０】
　次に、ステップ３５で決定した読出しアドレスからデータを読み出し（ステップ３７）、そのデータをＤ／Ａ変換部１３に出力する（ステップ３８）。ここで、読出しアドレスは、以下のように決定される。上述したように、データは、メインルーチンが１回実行される毎に１つずつ上位アドレスに移動する。したがって、アドレスを１つ移動する時間はメインルーチンを１回実行する時間となるので、設定された遅延時間をメインルーチンの実行時間で除算した数値を読出しアドレスとし、この読出しアドレスを常時読み出していると、設定された遅延時間でデータを読み出すことになる。
　　　【００３１】
　また、このステップ３５で決定した読出しアドレスは、四分音符での遅延時間であり、他の音符の場合には、スイッチ５の設定により以下のように読出しアドレスを変更する。すなわち、四分音符を基準値１とし、全音符、二分音符、八分音符及び十六分音符の基準値をそれぞれ４、２、０．５及び０．２５とする。この基準値を前述した読出しアドレスのアドレス値に乗算して、その乗算した値のアドレスの読出しを行うことによって、各音符に対応した遅延時間で楽音を遅延させることができる。なお、上述した音符以外の音符の場合、その基準値は、その音符の長さに比例した値として求められる。
　　　【００３２】
　次に、遅延時間算出ルーチンについて図４を用いて説明する。このルーチンは、タイミングクロックの時間間隔から演奏のテンポ、楽音を遅延させる遅延時間を求めるためのルーチンであり、具体的には以下のように実行される。ＣＰＵ１１は、測定スイッチ３が押されたか否か、すなわちスイッチインターフェース部１４から出力される測定スイッチ３のＯＮ信号を常時監視する（ステップ３９）。測定スイッチ３が押されると、ＣＰＵ１１は、Ｔを０にセットする（ステップ４０）。ここで、Ｔは、ＭＩＤＩ信号の時間間隔を測定するための基準値となるもので、特に限定されないが、Ｔ＝１を２０．８μＳｅｃの時間に相当するようにしている。
　　　【００３３】
　ＣＰＵ１１は、ＭＩＤＩ信号がＭＩＤＩ信号インターフェース部１８から入力されたか否かを常時監視する（ステップ４１）。ＭＩＤＩ信号の入力がない限りＴの値に１を加算して（ステップ４２）、ステップ４１、４２を繰り返す。ＭＩＤＩ信号の入力があると、そのときのＴの値を読み込み（ステップ４３）、そのＴの値に２０．８μＳｅｃの時間を乗算した値をタイミングクロックのクロック時間間隔とし、テンポ値を算出する（ステップ４４）。
　　　【００３４】
　ここで、テンポ値の算出は、Ｔの値が１０００の場合を例にとると、以下のように行われる。すなわち、ＭＩＤＩ規格では、システム・リアルタイム・メッセージとしてタイミングクロック（Ｆ８Ｈ）が定義されている。これによると、タイミングクロックは、四分音符当たり２４の割合で送信される。また、テンポは、１分間に四分音符がカウントされる値である。したがって、上述したタイミングクロックのクロック時間間隔が、２０．８ｍＳｅｃであるので、１分間に送信されてくるタイミングクロックの数は約２８８０回となる。ここで、テンポ値は、タイミングクロックの数を２４で除算した数であるので、テンポ値は約１２０となる。以上の算出方法によって、テンポ値を算出する。
　　　【００３５】
　次に、テンポの値から遅延時間を算出する（ステップ４５）。ここで、テンポは１分間にカウントされる四分音符の数であるので、遅延時間は、６０（秒）をテンポ値で除算するという計算式によって算出する。したがって、上述した例の場合は、遅延時間は５００ｍＳｅｃとなる。
　　　【００３６】
　以上により求めたテンポと遅延時間のデータから、表示用データに変換した後に、ディスプレイインターフェース部１５を介して表示部２に表示する（ステップ４６）。以上の動作を繰り返すことによって、タイミングクロックの時間間隔からテンポと遅延時間を算出する。この後に、ステップ４０に戻り、遅延時間算出ルーチンが繰り返される。
　　　【００３７】
　なお、測定スイッチ３が押された後に、ＭＩＤＩ信号のタイミングクロックの時間間隔が変わった場合は、遅延時間算出ルーチンを行った後に、メインルーチンが自動的に行われて、遅延時間、テンポの表示が自動的に変更されるとともに、楽音を遅延させる遅延時間も変更される。
　　　【００３８】
　なお、本実施例においては、タイミングクロックの時間間隔から、演奏テンポを算出して、そのテンポ値から遅延時間を算出したが、上述した、タイミングクロックの時間間隔、テンポ及び遅延時間の関係から、タイミングクロックの時間間隔から直接遅延時間を演算することができるのはもちろんである。
　　　【００３９】
　以上のように本実施例によれば、ＭＩＤＩ信号のタイミングクロックの時間間隔から、遅延時間を算出して、楽音を、その遅延時間遅延させることができるので、楽音を遅延させる遅延時間が電子楽器の演奏のテンポに完全に同期するばかりでなく、
音符の長さに
　　　【００４０】
　なお、本発明は上記実施例に限定されるものではなく、例えば、各ルーチンの実行は、本発明の要旨を逸脱しない範囲で適宜変更することができる。また、本実施例においては、遅延しない楽音と遅延した楽音を加算する加算器を音響効果装置の外部に設けた例を説明したが、加算器を音響効果装置の内部に設けても良い。この場合、ＣＰＵ１１は、読出しアドレスのデータとアドレス００００の２つのデータを読み出した後、加算すれば良い。更に、複数の読出しアドレスを設けて、複数のデータを読み出して加算すると、複数の反復音が出力されて、演奏に、より優れた反復効果を付加することができる。
　　　【００４１】
　　【発明の効果】
　以上のように本発明によれば、
ＭＩＤＩ信号受信手段が、電子楽器を制御するＭＩＤＩ信号を受信し、テンポ値算出手段は、受信したＭＩＤＩ信号のタイミングクロックの時間間隔を常時測定することにより、テンポ値を算出するので、電子楽器の演奏テンポを随時、正しく求めることができる。また、算出されたテンポ値をテンポ値表示手段で表示するので、音響効果装置の使用者は、電子楽器の演奏テンポを随時、正しく知ることができる。さらに、遅延時間設定手段が、テンポ値算出手段により算出されたテンポ値、および音符選択手段により選択された音符の長さに応じて、楽音の遅延時間を設定する。したがって、電子楽器の演奏に合わせて演奏される楽音の遅延時間が、電子楽器の演奏テンポと自動的に適合するとともに、好みにより選択した音符の長さにも適合するので、優れた反復効果を楽音に容易に付加することができる
【図面の簡単な説明】
　【図１】
　本発明の音響効果装置の外観を示す図である。
　【図２】
　本発明の音響効果装置のブロック図である。
　【図３】
　本発明の音響効果装置の動作のフローチャートである。
　【図４】
　本発明の音響効果装置の動作のフローチャートである。
　【符号の説明】
　１　音響効果装置
　３　測定スイッチ
　４　決定スイッチ
　５　
音符
１１　ＣＰＵ
１８　ＭＩＤＩ信号インターフェース部
１９　ディレイ用ＲＡＭ